(57)【特許請求の範囲】
【請求項１】
１０平方メートル以下の床面積を備えた休憩室となる箱体と、 
前記箱体に配された出入口となる引き戸と、 
前記箱体の第一壁に配された開口に設置される気化フィルタと、 
前記第一壁の外側に配されて、前記気化フィルタに給水する水を貯留する貯水タンクと、該貯水タンクに貯留している水を気化フィルタに供給する給水ポンプと、
前記第一壁に対向する第二壁に配された排気用送風機と、 
前記箱体の屋根面に設けられた吊り下げ用掛止具と、フォークリフトのフォークが掛止自在とされた床梁とのいずれか一方又は両方と、
からなり、 
前記排気用送風機で箱内の内部の空気を吸引して排出するとともに、前記気化フィルタを通して外気を吸引し、 
気化フィルタに供給された水であって、気化フィルタから滴下した水を前記貯水タンクに回収することを特徴とする可搬式休憩室用箱体。
【請求項２】
請求項１に記載の可搬式休憩室用箱体であって、 
前記箱体には空調装置が設備されていることを特徴とする可搬式休憩室用箱体。 
【請求項３】
請求項１または請求項２に記載の可搬式休憩室用箱体であって、 
前記箱体には換気扇が設備されていることを特徴とする可搬式休憩室用箱体。 
【請求項４】
請求項１から請求項３までのいずれか一項に記載の可搬式休憩室用箱体であって、 
屋根面に遮熱塗料が塗装されていることを特徴とする可搬式休憩室用箱体。 
【請求項５】
請求項１から請求項４までのいずれか一項に記載の可搬式休憩室用箱体であって、 
前記気化フィルタに供給される水を、除菌装置を通して供給することを特徴とする可搬式休憩室用箱体。 
【発明の詳細な説明】
【技術分野】
【０００１】
本発明は、組み立てられた状態で運搬・移動が可能な箱体に関し、特に、休憩室や喫煙室等の空間を提供する可搬式休憩室用箱体に関する。
【背景技術】
【０００２】
建設や土木の現場や、熱気により高温となる工場の建屋等では、作業者が、休憩時間に屋外や高温環境で休憩することのないよう、休憩用の建物や休憩室が設けられている場合がある。
【０００３】
例えば、建設工事の現場などで作業員が休憩に使用する特別に建物は存在せず、資材などが置かれているプレハブ製の簡易建物を使用されていたことに鑑みて、工事現場に於いて作業員が休憩時に使用する移動箱体が提案されている（特許文献１参照）。
また、室内に設置することにより、喫煙室や子供部屋等として利用できるとされる移動組立て式防音室が提案されている（特許文献２参照）。
【先行技術文献】
【特許文献】
【０００４】
【特許文献１】実開平６−５１４０７号公報
【特許文献２】特開２００６−２４１９５７号公報
【発明の概要】
【発明が解決しようとする課題】
【０００５】
特許文献１に開示された移動箱体は、クレーンにより吊り下げられるコンテナ等による箱体であり、この箱体に発電機や貯水タンク、汚水受タンク、プロパン・ガスボンベが装備されたものである。
また、特許文献２に開示された移動組立て式防音室では、ねじ込みパイプ等で枠を作り空気のマットを外部から取付け、又、内側より防音パネルをはめ込み、最外部より防火シートで覆う構造とされたものである。
ところで、夏季の建設や土木の工事現場では、気温の上昇により高温の環境での作業が行われている。また、工場等の製造現場には熱気が排出される機械装置が設備されている建屋があり、斯かる建屋内で作業を行う者は高温の作業環境におかれている。
【０００６】
高温環境における作業者にとっては、休憩時間には冷房が効いている休憩室を利用することが望まれている。特許文献１に開示された移動箱体には発電機が備えられているので、空調設備を設備させることができる。しかし、この移動箱体は、電気や水道工事の不便は山村などの僻地に於いても、使用することが可能なものとされているもので、工場の建屋内に設置することには不向きである。また、特許文献２に開示された防音室では、ねじ込みパイプ等により枠が形成されることにより、運搬性と組立の簡便性とを確保しようとするものであるため、空調設備を設備することはできない。
【０００７】
ところで、改正健康増進法では、国が定める基準を満たす場合には、工場等の施設では屋内に喫煙専用室を設けることが認められている。この喫煙専用室を設ける場合には、屋内の一部に区画壁を設置して他の区画から隔離された空間を設け、排煙設備等の必要な機器が設備されることになる。あるいは、建屋の外部に増設ことになる。しかし、この場合には、既設の壁と接続させたり、新たな柱を設置したりすることを要するので、喫煙専用室の設置工事が大掛かりとなり、工期を要することとなる。また、設置後に移動させることができず、例えば、当該建屋に新たな装置や設備を設置するために、喫煙専用室を撤去しなければならない場合などでは、煩雑な撤去作業を要することになる。
【０００８】
そこで、この発明は、クレーンやフォークリフト等の荷役機械によって移動させることができ、高温環境中に設置した場合であっても、内部の冷房を省電力で効果的に行える可搬式休憩室用箱体を提供することを目的としている。
【課題を解決するための手段】
【０００９】
上記目的を達成するための技術的手段として、この発明に係る可搬式休憩室用箱体は、１０平方メートル以下の床面積を備えた休憩室となる箱体と、前記箱体に配された出入口となる引き戸と、前記箱体の第一壁に配された開口に設置される気化フィルタと、前記第一壁の外側に配されて、前記気化フィルタに給水する水を貯留する貯水タンクと、該貯水タンクに貯留している水を気化フィルタに供給する給水ポンプと、前記第一壁に対向する第二壁に配された排気用送風機と、前記箱体の屋根面に設けられた吊り下げ用掛止具と、フォークリフトのフォークが掛止自在とされた床梁とのいずれか一方又は両方とからなり、前記排気用送風機で箱内の内部の空気を吸引して排出するとともに、前記気化フィルタを通して外気を吸引し、気化フィルタに供給された水であって、気化フィルタから滴下した水を前記貯水タンクに回収することを特徴としている。
【００１０】
すなわち、前記箱体と排気用送風機、気化フィルタとによって冷風扇として機能するものである。このため、気化フィルタに供給された水の気化熱が奪われ、箱体内に冷風が供給されて、箱体による休憩室が冷房されることになる。冷風扇によるものであるため、省電力が図られる。また、前記吊り下げ用掛止具にクレーンのフックを掛止させて、箱体を吊り下げて移動させることができる。また、前記床梁にフォークリフトのフォークを掛止させて、箱体を持ち上げることにより移動させることができる。なお、吊り下げ用掛止具とフォークが形成される床梁とは、いずれか一方を設けるものでよいが、両方が設けられていれば、移動の態様を現場に合わせて選定できるので好ましい。
しかも、床面積が１０平方メートル以下で移動可能であるため、建築法上の認可申請が不要であり、所望の場所に迅速に設置することができる。
【００１１】
また、上述の可搬式休憩室用箱体であって、前記箱体には空調装置が設備されていることが好ましい。
【００１２】
この可搬式休憩室用箱体を設置する場所によっては、冬季に暖房を要する場合がある。このため、空調装置を設備して、休憩室の暖房を行うものである。なお、気化フィルタが設置された開口には開閉可能な窓を着脱自在に設置して、暖房時にはこの窓を閉鎖できるようにすることが好ましい。
【００１３】
また、上述の可搬式休憩室用箱体であって、前記箱体には換気扇が設備されていることが好ましい。
【００１４】
この可搬式休憩室用箱体は、喫煙室として使用することができるが、その場合には、分煙機や空気清浄機を設置して空気を清浄にすることなる。また、室内の匂いや煙を外部に排出するための換気扇を設けることが好ましい。換気扇を作動させる際には、気化フィルタが設置された窓を開放することで吸気が促進されるが、この場合には、気化フィルタへの給水を停止する。
【００１５】
また、上述の可搬式休憩室用箱体であって、屋根面に遮熱塗料が塗装されていることが好ましい。
【００１６】
この可搬式休憩室用箱体が屋外に設置される場合には、屋根に日射されるので、遮熱塗料を塗装することで、日射による室内温度の上昇を抑制して室内の冷房効率を維持するものである。
【００１７】
また、上述の可搬式休憩室用箱体であって、前記気化フィルタに供給される水を、除菌装置を通して供給することが好ましい。
【００１８】
気化フィルタに供給される水は、貯水タンクとの間で循環されるため、除菌装置によって給水に含まれる雑菌を除去するものである。室内への送風に雑菌が含まれることを防止する。
【発明の効果】
【００１９】
この発明に係る可搬式休憩室用箱体によれば、室内に冷風を供給することができるとともに、所望の場所に簡便に設置できるので、高温となる工場の建屋内に設置したり、屋外に設置したりすることで、作業員が冷房された休憩室で休息でき、体調の維持やリフレッシュに効果的である。
【図面の簡単な説明】
【００２０】
【図１】この発明に係る可搬式休憩室用箱体の外観の概略を示す斜視図である。
【図２】この発明に係る可搬式休憩室用箱体の正面を示し、図１における１−１線に沿って切断した一部断面図である。
【図３】この発明に係る可搬式休憩室用箱体の平面図である。
【図４】この発明に係る可搬式休憩室用箱体の左側面図である。
【図５】この発明に係る可搬式休憩室用箱体の右側面図である。
【発明を実施するための形態】
【００２１】
以下、図示した好ましい実施の形態に基づいて、この発明に係る可搬式休憩室用箱体を具体的に説明する。
【００２２】
図１は、この発明に係る可搬式休憩室用箱体１の外観を示す概略の斜視図である。この可搬式休憩室用箱体１はほぼ直方体に形成されている。なお、矩形に組まれた床梁１ａの四隅に柱１ｂが立設され、柱１ｂに壁板１ｃが支持され、上部に屋根板１ｄが支持されている。正面の壁板１ｃには引き戸による出入口１ｅが設けられている。なお、この引き戸には素通しのガラスがはめ込まれて、可搬式休憩室用箱体１の内部を視認できるようにすることが、採光の面からも好ましい。
また、正面に配されている床梁１ａの中央部には、適宜な間隔を設けて一対の差込孔１ｆが形成されている。この差込孔１ｆは、フォークリフトの一対のフォークを差し込むことができる位置に、フォークを差し込む大きさで形成されている。さらに、一対の差込孔１ｆは、後述するように、必要な機器や装置が取り付けられた状態の可搬式休憩室用箱体１がフォークにより持ち上げられた場合に、一対のフォークにかかる負荷が均等となる位置に配されている。
【００２３】
可搬式休憩室用箱体１の第一壁としての右側の壁板１ｃ１には、図２に示すように、開口１ｇが形成されている。壁板１ｃ１の外側にはこの開口１ｇに臨ませて気化フィルタ２ｃを備えたフィルタユニット２が設けられ、外気がこのフィルタユニット２の気化フィルタ２ｃと開口１ｇを通って、可搬式休憩室用箱体１の内部に送られる。フィルタユニット２の外側には窓枠１ｈが設けられており、外気がこの窓枠１ｈからフィルタユニット２の気化フィルタ２ｃを通って可搬式休憩室用箱体１内に送風される。なお、窓枠１ｈには網戸が着脱自在に取り付けられることが好ましく、また、開口１ｇを閉鎖する窓板が着脱自在に取り付けられることが好ましい。
フィルタユニット２の下部には、水を貯留する貯水タンク２ａが設けられており、この貯水タンク２ａの内部に図示しない給水ポンプが設置されており、この給水ポンプは吸込口から貯水タンク２ａ内の水を吸い込み、吐出口から吐出される。フィルタユニット２の外側面には除菌装置としてのＵＶフィルタ３が設けられ、給水ポンプから吐出された水は入口側給水ホース３ａを通ってこのＵＶフィルタ３の入口側に供給されて、ＵＶフィルタ３を通過する。そして、このＵＶフィルタ３の出口側には給水ホース４が接続され、水が給水ホース４を介してフィルタユニット２の気化フィルタ２ｃの上部に供給されるようにしてある。気化フィルタ２ｃに供給された水は、気化フィルタ２ｃ内をフィルタ板を伝って流れ落ち、下部まで流れ落ちた水は排水ホース２ｂを通って貯水タンク２ａに回収される。
【００２４】
前記壁板１ｃ１に対向する第二壁としての左側の壁板１ｃ２には、図２〜図４に示すように、排気用送風機５が設けられており、可搬式休憩室用箱体１の内部の空気が外部に排出される。なお、この排気用送風機５の吐出側には適宜に湾曲された排出ダクト５ａが接続されて、空気を排出することに支障のない方向に排出できるようにしてある。
【００２５】
可搬式休憩室用箱体１の内部の天井近傍には、空調装置の室内機６ａが取り付けられており、室外機６ｂが、貯水タンク２ａの隣に設置されている。また、排気用送風機５の隣には、換気扇７が設置されている。
なお、貯水タンク２ａと室外機６ｂは、壁板１ｃ１に取り付けられた取付用架台９に設置されている。
また、天井にはＬＥＤの照明器具８が取り付けられている。
【００２６】
また、可搬式休憩室用箱体１の屋根板１ｄの四隅には、図示しないクレーンのフックを掛止するためのロープが通される吊り下げ用掛止具としてのロープ用掛止部１ｉが設けられている。
【００２７】
以上により構成されたこの発明に係る可搬式休憩室用箱体１の作用を、以下に説明する。
【００２８】
可搬式休憩室用箱体１は、ロープ用掛止部１ｉを用いてクレーンにより吊り上げることにより、例えば、トラックの荷台に積み込み、積み卸しすることができる。このため、トラック等の運搬車両によって所望の場所まで搬送することができる。搬送された可搬式休憩室用箱体１をクレーンによって運搬車両の荷台から下ろす。下ろされた可搬式休憩室用箱体１をフォークリフトによって、下ろされた位置から使用する位置まで搬送する。このときには、差込孔１ｆにフォークリフトのフォークを差し込んで、フォークを上昇させることにより搬送することができる。
【００２９】
使用する位置まで搬送された可搬式休憩室用箱体１の貯水タンク２ａに水道水を貯留させるとともに、給水ポンプや排気用送風機５、室内機６ａと室外機６ｂとからなる空調装置、照明器具８等の電気機器を商用電源と接続する。
給水ポンプと排気用送風機５とを作動させると、排気用送風機５により可搬式休憩室用箱体１の内部が吸引され、外気がフィルタユニット２の気化フィルタ２ｃを通って可搬式休憩室用箱体１の内部に吸引される。
また、給水ポンプは貯水タンク２ａ内に貯留されている水を吸い込み、吐出する。吐出された水はＵＶフィルタ３を通って除菌された後、気化フィルタ２ｃの上部に供給される。供給された水が気化フィルタ２ｃのフィルタ板の表面を伝わって流れ落ち、吸引された外気がフィルタを通過する際に、流れ落ちる水から気化熱を奪ったフィルタ板によって冷却されて冷風となって、可搬式休憩室用箱体１内に供給されて、可搬式休憩室用箱体１内の冷房に供される。したがって、可搬式休憩室用箱体１内で休憩中の者は、この冷風を感じて涼しさを感じることができて、効果的に休憩できる。
【００３０】
また、冬季等の可搬式休憩室用箱体１内を冷房する必要がない場合には、排気用送風機５と給水ポンプを作動させなければ、冷風が供給されない。このとき、必要に応じて空調装置を作動させて、可搬式休憩室用箱体１内を暖房することもできる。なお、前記窓枠１ｈに窓板等を装着させて開口１ｇを閉鎖すれば、可搬式休憩室用箱体１内に外気が侵入することがなく、より暖房効果を発揮させることができる。
暖房時であっても、可搬式休憩室用箱体１内の乾燥が促進されてしまった場合には、排気用送風機５と給水ポンプとを作動させることによって、可搬式休憩室用箱体１を加湿することができる。
また、換気扇７を作動させることによって、可搬式休憩室用箱体１内の換気を促進させることができる。
【００３１】
また、可搬式休憩室用箱体１内に分煙機や空気清浄気を設置することによって、可搬式休憩室用箱体１を喫煙室として利用することもできる。喫煙室として利用する場合には、換気扇７を作動させて匂いや煙を外部に排出することが好ましい。
【００３２】
そして、前述したように、可搬式休憩室用箱体１は運搬車両によって運搬可能であり、フォークリフトによって移動が可能である。また、この可搬式休憩室用箱体１の床面積を１０平方メートル以下としてある。床面積が１０平方メートル以下であるため、建築基準法第６条による確認申請の手続規定が適用されず、可搬式であることと相俟って、設置場所が限定されずに、また、設置場所まで運搬することで迅速に設置できることになって、工期を要せずに迅速に設置することができる。
【００３３】
また、この実施形態では、排気用送風機５による冷風の流れ方向下流に向かって左側に出入口１ｅが配された左勝手の構造として説明したが、正面側の壁板１ｃと背面側の壁板１ｃとを入れ替えることによって、簡便に右勝手の構造の可搬式休憩室用箱体１とすることができる。すなわち、設置場所に応じて、出入口１ｅを適切な側に配することができる。
【００３４】
また、屋外での炎天下におけるスポーツ観戦などの一時的な場合であっても、観戦者の休憩場所を迅速に確保できるとともに、終了後には迅速に撤去することができて、一時的な設置にとっての利便性が高い可搬式休憩室用箱体となる。すなわち、この発明に係る可搬式休憩室用箱体は、所望の場所に迅速に設置することができて、迅速に休憩室や喫煙室を設置することに寄与するものである。
【符号の説明】
【００３５】
１  可搬式休憩室用箱体 
１ａ  床梁 
１ｂ  柱 
１ｃ  壁板 
１ｃ１  右側の壁板（第一壁） 
１ｃ２  左側の壁板（第二壁） 
１ｄ  屋根板 
１ｅ  出入口 
１ｆ  差込孔 
１ｇ  開口 
１ｈ  窓枠 
１ｉ  ロープ用掛止部 
２  フィルタユニット 
２ａ  貯水タンク 
２ｂ  排水ホース 
３  ＵＶフィルタ 
３ａ  入口側給水ホース 
４  給水ホース 
５  排気用送風機 
５ａ  排出ダクト 
６ａ  室内機 
６ｂ  室外機 
７  換気扇 
８  照明器具 
９  取付用架台 
【要約】 
【課題】  所望の場所に、冷房された休憩室を迅速に設置することができる構造の可搬式休憩室用箱体を提供する。
【解決手段】  休憩室を、建築申請が不要な床面積１０平方メートル以下の可搬式休憩室用箱体１で構成する。休憩室用箱体１の第一壁に冷風扇のフィルタユニット２を、第一壁に対向する第二壁に排気用送風機５を設置して、排気用送風機５で、第一壁のフィルタユニット２側から外気を取り入れ、第二壁の排気用送風機５で排出する。フィルタユニット２の気化フィルタ２ｃの上部から貯水タンク２ａ内の水を供給し、フィルタ板を伝って流れ落とし、余剰の水は貯水タンク２ａに回収する。外気が気化フィルタ２ｃを通過することで冷却された冷風が休憩室用箱体１の内部に供給されて冷房される。ロープ用掛止部１ｉを利用してクレーンで吊り下げられ、差込孔１ｆにフォークを差し込みフォークリフトで移動させられる。
【選択図】    図１【図１】
0006769639.tif 000002
【図２】
0006769639.tif 000003
【図３】
0006769639.tif 000004
【図４】
0006769639.tif 000005
【図５】
0006769639.tif 000006